(57)【要約】【課題】  ヘアキャッチャーのネット部に堆積、捕集した濡れた毛髪やごみなどが付着して、清浄に際し、剥離、放棄しにくくし、清掃性がよくなかった。【解決手段】  遠隔操作により排水口が開閉される排水栓装置に備えられ、ネット部を有するヘアキャッチャーであって、ネット部が放射状に伸びる断面山形状の複数のリブを有し、該リブ間に複数の穴が形成され、該ネット部の中央には、遠隔操作により排水口が開閉される排水栓の栓軸を摺動可能に内包する軸筒部を有し、該軸筒部の下端には、排水栓の開閉を遠隔操作するための作動部の支軸と排水栓の栓軸との作動をガイドするガイド部を有するヘアキャッチャーである。【選択図】図１
2010037923.tif 000002
【特許請求の範囲】
【請求項１】
遠隔操作により排水口が開閉される排水栓装置に備えられ、ネット部を有するヘアキャッチャーであって、前記ネット部が放射状に伸びる断面山形状の複数のリブを有し、該リブ間に複数の穴が形成されていることを特徴とするヘアキャッチャー。
【請求項２】
遠隔操作により排水口が開閉される排水栓装置に備えられ、ネット部を有するヘアキャッチャーであって、前記ネット部が直径の異なる複数の輪状筋と、放射状に伸びる複数の放射状筋とで蜘蛛の巣状に構成し、該蜘蛛の巣状には、放射状に伸びる断面山形状のリブが形成されることを特徴とするヘアキャッチャー。
【請求項３】
前記複数のリブの高さが、高いものと低いものとが交互に配設されることを特徴とする請求項１から２のいずれか１項に記載のヘアキャッチャー。
【請求項４】
前記ネット部の中央に、前記遠隔操作により排水口が開閉される排水栓装置の排水栓の栓軸を摺動可能に内包する軸筒部を有し、前記軸筒部の下端には前記排水栓の開閉を遠隔操作するための作動部の支軸と前記排水栓の栓軸との作動をガイドするガイド部を有することを特徴とする請求項１から３のいずれか１項に記載のヘアキャッチャー。
【請求項５】
前記栓軸の下端には、Ｏリングが嵌着されていることを特徴とする請求項４記載のヘアキャッチャー。
【発明の詳細な説明】
【技術の分野】
【０００１】  本発明は、排水口部に装着されるヘアキャッチャーに関し、詳しくは、排水口金具が洗面ボウルなどの表面に現れていない排水口部に装着するヘアキャッチャーであって、毛髪やごみなどを捕集、堆積しても付着しにくく、清浄性が向上されるものである。
【背景技術】
【０００２】  従来から、排水口金具などに取付けて、排水口に流された毛髪やごみなどを捕集、堆積するヘアキャッチャーがある。該ヘアキャッチャーはネット部などで構成され、該ネット部などに捕集、堆積された毛髪やごみなどが排水性の低下を起し、且つ付着して清浄性を阻害するものであった。
そこで、排水性能の低下を防ぐとともに、清浄性を向上するために断面Ｖ字形環体のネット部を形成したヘアキャッチャーがある。そして、毛髪やごみなどをリング状に纏め、排水性及び清浄性を向上させようとするものである。【０００３】
【特許文献１】  特開２００７−８５１０２
【発明の開示】
【発明が解決しようとする課題】
【０００４】  清浄の際を考慮して、断面Ｖ字形環体のネット部を備えたヘアキャッチャー（特許文献１）は、その断面Ｖ字形環体のＶ字形の底部に毛髪やごみなどがリング状に纏められるので、排水性の低下を免れるが、清浄に際し、濡れた毛髪やごみなどはネット部に付着して取除きにくく、廃棄しにくいものであった。【０００５】  そこで、本発明は、ネット部に捕集、堆積した毛髪やごみなどが付着しにくい構造のヘアキャッチャーを得ることにあり、清浄に際し、濡れた毛髪やごみなどの廃棄が簡単、且つ容易にでき、ネット部より剥離、放棄することのできるようにしたものを得ることにある。
【課題を解決するための手段】
【０００６】  本発明のヘアキャッチャーは、遠隔操作により排水口が開閉される排水栓装置に備えられ、ネット部を有するヘアキャッチャーであって、前記ネット部が、放射状に伸びる断面山形状の複数のリブを有し、該リブ間に複数の穴が形成されているものである。
尚、該穴は、毛髪やごみなどをリング状に纏め、捕集、堆積するために、放射状の配列とし、メッシュとする。また、断面山形状リブは、濡れた毛髪やごみなどがネット部に堆積されて付着しても隙間を作って離れ得る高さとする。【０００７】  本発明のヘアキャッチャーは、遠隔操作により排水口が開閉される排水栓装置に備えられ、ネット部を有するヘアキャッチャーであって、前記ネット部が、直径の異なる複数の輪状筋と、放射状に伸びる複数の放射状筋とで蜘蛛の巣状に形成し、該蜘蛛の巣状には、放射状に伸びる断面山形状のリブが形成されるものである。
尚、蜘蛛の巣状のメッシュは、毛髪やごみなどが捕集、堆積される大きさとし、リブは、濡れた毛髪やごみなどの付着が軽減される高さとする。【０００８】  本発明のヘアキャッチャーは、放射状に伸びる断面山形状の複数のリブの高さが、高いものと低いものとが交互に配設されるものである。
尚、高いものと低いものとを交互に配設したリブは、濡れた毛髪やごみなどを支架することになり、これらの放棄の際に、ネット部への全くの付着がないようにし、剥離放棄し易い。【０００９】  本発明のヘアキャッチャーは、前記ネット部の中央に前記遠隔操作により排水口が開閉される排水栓装置の排水栓の栓軸を摺動可能に内包する軸筒部を有し、前期軸筒部の下端には排水栓の開閉を遠隔操作するための作動部の支軸と前記排水栓の栓軸との作動をガイドするガイド部を有するものである。【００１０】  本発明のヘアキャッチャーは、前記栓軸の下端には、その軸筒部よりの抜け止めをするＯリングが嵌着されているものである。
【発明の効果】
【００１１】  本発明のヘアキャッチャーは、ネット部の複数の穴が単純形状で加工し易く、且つ穴縁が曲線で、単純形状であるが故に、毛髪やごみなどが絡みにくく、更に、穴が整然と配列されているので排水流れを乱さずにでき、特に、放射状の配列とすることによって、毛髪やごみなどをリング状に纏め、排水性を悪くすることがない。また、放射状に伸びる断面山形状のリブを構成することによって、濡れた毛髪やごみなどをネット部に堆積してもネット部面への付着より離し、それのネット部との付着を少なくし、清浄する際に、ネット部にへばりつくことなく、簡単且つ容易に剥離、放棄することができる。【００１２】  本発明のヘアキャッチャーは、ネット部が、直径の異なる複数の輪状筋と、放射状に伸びる放射状筋とで、蜘蛛の巣状に構成し、更に、該蜘蛛の巣状には、放射状に伸びる断面山形状のリブを形成することによって、濡れた毛髪やごみなどの堆積、捕集が、ネット部面への付着を極力減少し、清浄の際に、ネット部よりの剥離が容易且つ簡単にでき、より清浄性に優れたものにできる。【００１３】  本発明のヘアキャッチャーは、放射状に伸びる断面山形状の複数のリブには、高いものと、低いものとが交互に配設されることによって、堆積、捕集した濡れた毛髪やごみなどがリブに支架され、且つリブが断面山形状であるので、それへの付着面積を極度に少なくすることができ、清浄の際の剥離、放棄を一層良好にすることができる。【００１４】  本発明のヘアキャッチャーは、ネット部の中央に遠隔操作により排水口が開閉される排水栓装置の排水栓の栓軸を摺動可能に内包する軸筒部を有し、前記軸筒部の下端には前記排水栓の開閉を遠隔操作するための作動部の支軸と前記排水栓の栓軸との作動をガイドするガイド部を有することは、排水口金具が洗面ボウルなどの表面に現れていない排水口部において、この排水口部にレリースワイヤの作動部を支承する支持部材が支持されるが、作動部の支軸を必ずしも定位置に設定するとは限らず、排水栓の栓軸への繋ぎに位置が決まらず、この位置の決まらない状態を収斂するためのガイド部である。よって、軸筒部下端のガイド部によって、排水栓の栓軸と作動部の支軸とを、繋げる際に、極めて簡単且つ容易に芯だし一致することができる。【００１５】  本発明のヘアキャッチャーは、排水栓の栓軸下端にはＯリングが嵌着されているので、排水栓の栓軸を貫挿し、排水栓の開閉で軸筒部をガイド摺動するに当っても、その軸筒部よりの抜け止めをすることができ、しかも、Ｏリングであるがために、排水栓の栓軸の軸筒部への貫挿が容易にできるものである。
【発明を実施するための形態】
【００１６】  本発明のヘアキャッチャーは、洗面ボウルなどの表面に排水口金具が現れていないフランジレス排水口部に装着され、排水性を良好にし、そして堆積、捕集された濡れた毛髪やごみなどがネット部に付着しにくくし、洗浄の際には、剥離、放棄しやすくするものである。
【実施例１】
【００１７】  本発明のヘアキャッチャーを図面に基いて説明すると、図１に示す如く、洗面ボウルの表面に排水口金具が現れていないフランジレス排水口部を備えた洗面ボウル１などが、テール部材２を介して排水管３にナット２１で接続されている。
テール部材２には、レリースワイヤ４の作動部４１を支承する支持部材５が支持されている。【００１８】  排水口部１２に装着されたヘアキャッチャー６は、図２〜５に示す如く、放射状に伸びる断面山形状の複数のリブ６１２を有し、該リブ間に複数の丸穴６１１が形成されているネット部６１を有し、該ネット部の中央に排水栓７の栓軸７１を、排水口の開閉の為、摺動可能に内包する軸筒部６２を有し、該軸筒部６２の下端には、排水栓の開閉を遠隔操作するための作動部４１の支軸４２と前記排水栓の栓軸７１との作動をガイドするガイド部６３を設けている。
尚、丸穴６１１は、相互が均衡整列され、例えば、図２の如く、放射状に配列され、そのメッシュが毛髪やごみなどを捕集できる大きさとし、約４ｍｍ程度とする。また、断面山形状のリブ６１２は、断面山形状とすることで濡れた毛髪やごみなどの付着面積を減少し、且つ、高さが、ネット部面より離すことになり、ネット部への付着を少なくし、廃棄の際、剥離し、放棄し易くした高さである。そしてリブの高さは、約２ｍｍ程度とする。【００１９】  軸筒部６２には、内周側に、排水栓７の栓軸７１を滑らかに摺動するための摺動リブ６２１が形成され、軸筒部６２に貫挿された排水栓７の栓軸７１を抜け止めする為のＯリング７２が栓軸７１の下端に嵌着されている。【００２０】  なお、丸穴６１１間を放射状に伸びる断面山形状のリブ６１２は、高いものと、低いものとが交互に配設されて（図示されず）濡れた毛髪やごみなどの付着を極めて少なくするようにしてもよいことは云うまでもない。
高いリブの高さは、約２ｍｍとし、低いリブの高さは、約１ｍｍとし、高低のリブを配設することによって、濡れた毛髪やごみなどを支架してネット部面より離し、付着面積を小さくして、廃棄の際、剥離放棄し易くできる。
図中、７３はシールパッキンである。
【実施例２】
【００２１】  本発明の実施例２のヘアキャッチャー８は、実施例１のヘアキャッチャー６と同様に、フランジレス排水口部１２に装着されるヘアキャッチャー８であって、該ヘアキャッチャーは、図６〜９に示す如く、直径の異なる複数の輪状筋８１０と、放射状に伸びる複数の放射状筋８１１を筋違いに交叉して接合一体化させ、蜘蛛の巣状ネット部８１とし、該ネット部の放射状筋には、断面山形状リブを沿設する。排水栓の栓軸７１を排水口の開閉のため、摺動可能に内包する軸筒部８２を有し、該軸筒部の下端に形成されたレリースワイヤの作動部４１の支軸４２と前記排水栓の栓軸７１との作動をガイドするガイド部８３とでなる。
尚、蜂の巣状ネット部８１のメッシュは、毛髪やごみなどを捕集する大きさとし、約４ｍｍとし、リブは、濡れた毛髪やごみなどがネット部に堆積、捕集されるに当って、ネット部との付着を最少化する高さとし、約２ｍｍである。そして、清浄の際の剥離放棄を簡単且つ容易にできる。【００２２】  軸筒部８２の内周側には、排水栓の栓軸を滑らかに摺動する摺動リブ８２１が形成されている。【００２３】  ネット部８１の放射状筋８１１には、断面山形状のリブが構成され、図１０に示す如く、高いもの８１２と、低いもの８１３とが交互に配設され、濡れた毛髪やごみなどの付着を最小限にし、毛髪やごみなどの廃棄の際、剥離、放棄し易くするものである。
【図面の簡単な説明】
【００２４】
【図１】  ヘアキャッチャーを装着した全体状態図である。
【図２】  多数の丸穴と、放射状に伸びる断面山形状リブとでなるネット部を有するヘアキャッチャーの平面図である。
【図３】  多数の丸穴と、放射状に伸びる断面山形状リブとでなるネット部を有するヘアキャッチャーの側面図である。
【図４】  多数の丸穴と、放射状に伸びる断面山形状リブとでなるネット部を有するヘアキャッチャーの一部縦断面（Ａ−Ａ）図である。
【図５】  多数の丸穴と、放射状に伸びる断面山形状リブとでなるネット部を有するヘアキャッチャーの縦断面（Ｂ−Ｂ）図である。
【図６】  蜘蛛の巣状ネット部を有するヘアキャッチャーの平面図である。
【図７】  蜘蛛の巣状ネット部を有するヘアキャッチャーの側面図である。
【図８】  蜘蛛の巣状ネット部を有するヘアキャッチャーの縦断面（Ｃ−Ｃ）図である。
【図９】  蜘蛛の巣状ネット部を有するヘアキャッチャーの偏向縦断面（Ｄ−Ｄ）図である。
【図１０】  蜘蛛の巣状ネット部を有するヘアキャッチャーのネット部の一部断面（Ｅ−Ｅ）図である。
【符号の説明】
【００２５】１        洗面ボウル、
１２      排水口部
２        テール部材
２１      ナット
３        排水管
４        レリースワイヤ
４１      作動部
４２      支軸
５        支持部材
６        ヘアキャッチャー
６１      ネット部
６１１    丸穴
６１２    断面山形状リブ
６２      軸筒部
６２１    摺動リブ
６３      ガイド部
７        排水栓
７１      柱軸
７２      Ｏリング
７３      シールパッキン
８        ヘアキャッチャー
８１      ネット部
８１０    円形状筋
８１１    放射状筋
８１２    断面山形状リブの高いもの
８１３    断面山形状リブの低いもの
８２      軸筒部
８２１    摺動リブ
８３      ガイド部
【図１】
2010037923.tif 000003
【図２】
2010037923.tif 000004
【図３】
2010037923.tif 000005
【図４】
2010037923.tif 000006
【図５】
2010037923.tif 000007
【図６】
2010037923.tif 000008
【図７】
2010037923.tif 000009
【図８】
2010037923.tif 000010
【図９】
2010037923.tif 000011
【図１０】
2010037923.tif 000012